【手続補正書】
【提出日】平成15年12月1日(2003.12.1)
【手続補正１】
【補正対象書類名】明細書
【補正対象項目名】特許請求の範囲
【補正方法】変更
【補正の内容】
【特許請求の範囲】
【請求項１】
クライアント装置と通信する情報処理装置おいて、
クライアント装置に接続された周辺装置のドライバのクライアント装置におけるセットアップ状況を管理する装置管理手段と、
前記セットアップ状況に基づいて、前記複数のクライアント装置に対応するドライバ情報をクライアント装置に送信する処理を制御する送信制御手段とを有することを特徴とする情報処理装置。
【請求項２】
クライアント装置と通信する情報処理装置における方法であって、
前記クライアント装置に接続された周辺装置のドライバのクライアント装置におけるセットアップ状況を管理する装置管理工程と、
前記セットアップ状況に基づいて、前記複数のクライアント装置に対応するドライバ情報をクライアント装置に送信する処理を制御する送信制御工程とを有することを特徴とする情報処理方法。
【請求項３】
前記セットアップ状況は、前記クライアント装置に組み込まれたドライバ情報のバージョンを示す情報を含み、前記送信制御工程では、前記バージョンを示す情報が、サーバ装置が有するドライバ情報より旧い場合に、前記サーバ装置が有するドライバ情報をクライアント装置に送信するよう送信処理を制御することを特徴とする請求項２に記載の情報処理方法。
【請求項４】
前記セットアップ状況は、前記クライアント装置に組み込まれたドライバ情報の識別情報を含み、
前記送信制御工程では、前記ドライバ情報の識別情報が示すドライバ情報が前記クライアント装置に存在しない場合に、前記ドライバ情報をクライアント装置に送信するよう送信処理を制御することを特徴とする請求項２に記載の情報処理方法。
【請求項５】
前記セットアップ状況は、クライアント装置と通信することにより、前記サーバ装置が収集することを特徴とする請求項２に記載の情報処理方法。
【請求項６】
前記ドライバ情報は、プリンタドライバを含むことを特徴とする請求項２に記載の情報処理方法。
【請求項７】
クライアント装置と通信する情報処理装置において実行される制御プログラムであって、
前記クライアント装置に接続された周辺装置のドライバのクライアント装置におけるセットアップ状況を管理する装置管理工程と、
前記セットアップ状況に基づいて、前記複数のクライアント装置に対応するドライバ情報をクライアント装置に送信する処理を制御する送信制御工程とを情報処理装置に実行させることを特徴とする制御プログラム。
【請求項８】
複数のクライアント装置と通信する情報処理装置において、
ドライバ情報をインストールすべき複数のクライアント装置を判断する判断手段と、
前記クライアント装置に接続された周辺装置を制御するドライバ情報を、前記判断手段により判断された複数のクライアントに対して配信する処理を制御する送信制御手段とを有することを特徴とする情報処理装置。
【請求項９】
複数のクライアント装置と通信する情報処理装置における方法において、
ドライバ情報をインストールすべき複数のクライアント装置を判断する判断工程と、
前記クライアント装置に接続された周辺装置を制御するドライバ情報を、前記判断工程により判断された複数のクライアントに対して配信する処理を制御する送信制御工程とを有することを特徴とする情報処理方法。
【請求項１０】
前記ドライバ情報は、プリンタドライバのドライバ情報であり、
前記ドライバ情報はセットアップされたプリンタに対するテストプリントの指示を含むことを特徴とする請求項９に記載の情報処理方法。
【請求項１１】
前記クライアント装置は、前記セットアップ指示に基づき、前記ドライバ情報のセットアップを行うことを特徴とする請求項９に記載の情報処理方法。
【請求項１２】
前記情報処理装置は、クライアント装置を手動で選択する選択工程を有し、
前記判断工程では、前記選択工程で選択されたクライアント装置を判断することを特徴とする請求項９に記載の情報処理方法。
【請求項１３】
複数のクライアント装置と通信する情報処理装置において実行される制御プログラムであって、
ドライバ情報をインストールすべき複数のクライアント装置を判断する判断工程と、
前記クライアント装置に接続された周辺装置を制御するドライバ情報を、前記判断工程で判断された複数のクライアントに対して配信する処理を制御する送信制御工程を情報処理装置に実行させることを特徴とする制御プログラム。
【請求項１４】
周辺装置並びにサーバ装置と通信する情報処理装置において、
前記サーバ装置からのセットアップ指示並びにドライバ情報を認識する認識手段と、
前記サーバ装置にセットアップ指示を要求することなく、前記セットアップ指示を認識するのに応答して、前記周辺装置を制御するためのドライバ情報を前記クライアント装置内にインストールするプログラム管理手段を有することを特徴とする情報処理装置。
【請求項１５】
周辺装置並びにサーバ装置と通信する情報処理装置における方法において、
前記サーバ装置からのセットアップ指示並びにドライバ情報を認識する認識工程と、
前記サーバ装置にセットアップ指示を要求することなく、前記セットアップ指示を認識するのに応答して、前記周辺装置を制御するためのドライバ情報を前記クライアント装置内にインストールするプログラム管理工程を有することを特徴とする情報処理方法。
【請求項１６】
前記プログラム管理工程では、周辺装置の識別情報と、前記ドライバ情報と関連付けて前記クライアント装置が登録するようクライアント装置を制御する特徴とする請求項１５に記載の情報処理方法。
【請求項１７】
前記プログラム管理工程では、前記クライアント装置に搭載されたＯＳのアプリケーションプログラミングインタフェースを介して、周辺装置の識別情報と、前記ドライバ情報と関連付けた状態で、ＯＳが認識するようＯＳを制御することを特徴とする請求項１５に記載の情報処理方法。
【請求項１８】
前記プログラム管理工程は、前記クライアント装置内に記憶された既存のドライバの識別情報と、前記セットアップ指示により指示されたドライバの識別情報を比較し、前記既存のドライバの識別情報と、前記セットアップ指示されたドライバの識別情報が一致しない場合に、前記セットアップ指示されたドライバを前記クライアント装置に記憶させることを特徴とする請求項１５に記載の情報処理方法。
【請求項１９】
前記プログラム管理工程では、前記クライアント装置内に記憶された既存のドライバのバージョンを示す情報が、前記セットアップ指示されたドライバのバージョンを示す情報より新しいことを示す場合に、前記クライアント装置のドライバ情報を、前記セットアップ指示されたドライバ情報に更新することを特徴とする請求項１５に記載の情報処理方法。
【請求項２０】
周辺装置並びにサーバ装置と通信する情報処理装置において実行される制御プログラムにおいて、
前記サーバ装置からのセットアップ指示並びにドライバ情報を認識する認識工程と、
前記サーバ装置にセットアップ指示を要求することなく、前記セットアップ指示を認識するのに応答して、前記周辺装置を制御するためのドライバ情報を前記クライアント装置内にインストールするプログラム管理工程とを情報処理装置に実行させることを特徴とする制御プログラム。
【請求項２１】
サーバ装置並びに周辺装置と通信する情報処理装置装置において、
前記サーバ装置から前記周辺装置のドライバのセットアップ指示に基づいてドライバのセットアップを行うプログラム管理手段と、
前記セットアップの終了に応答して、セットアップが正常に完了したことを確認するテストプリントを前記周辺装置に対して行わせる指示を生成させることを特徴とする情報処理装置。
【請求項２２】
サーバ装置並びに周辺装置と通信する情報処理装置装置における方法であって、
前記サーバ装置から前記周辺装置のドライバのセットアップ指示に基づいてドライバのセットアップを行うプログラム管理工程と、
前記セットアップの終了に応答して、セットアップが正常に完了したことを確認するテストプリントを前記周辺装置に対して行わせる指示を生成させる工程を有することを特徴とする情報処理方法。
【請求項２３】
前記プログラム管理工程では、前記クライアント装置に搭載されたＯＳのアプリケーションプログラミングインターフェースを介してＯＳのインストール手段を呼出し、前記アプリケーションプログラミングインターフェースを介して呼び出された前記ＯＳのインストール工程では、前記クライアント装置にドライバ情報を導入することを特徴とする請求項２２に記載の情報処理方法。
【請求項２４】
前記プログラム管理工程は、前記サーバ装置からの命令に応答して開始されることを特徴とする請求項２２又は２３に記載の情報処理方法。
【請求項２５】
前記サーバ装置からの命令は、シンプル・オブジェクト・アクセス・プロトコルを用いて記述されることを特徴とする請求項２２乃至２４のいずれかに記載の情報処理方法。
【請求項２６】
サーバ装置並びに周辺装置と通信する情報処理装置装置において実行される制御プログラムであって、
前記サーバ装置から前記周辺装置のドライバのセットアップ指示に基づいてドライバのセットアップを行うプログラム管理工程と、
前記セットアップの終了に応答して、セットアップが正常に完了したことを確認するテストプリントを前記周辺装置に対して行わせる指示を生成させる工程を情報処理装置に実行させることを特徴とする制御プログラム。
【請求項２７】
前記プログラム管理工程では、前記クライアント装置に搭載されたＯＳのアプリケーションプログラミングインターフェースを介してＯＳのインストール手段を呼出し、前記アプリケーションプログラミングインターフェースを介して呼び出された前記ＯＳのインストール工程では、前記クライアント装置にドライバ情報を導入するよう情報処理装置を実行することを特徴とする請求項２６に記載の制御プログラム。
【請求項２８】
前記プログラム管理工程は、前記サーバ装置からの命令に応答して実行されることを特徴とする請求項２６又は２７に記載の制御プログラム。
【請求項２９】
前記サーバ装置からの命令は、シンプル・オブジェクト・アクセス・プロトコルを用いて記述されることを特徴とする請求項２８に記載の制御プログラム。
【請求項３０】
クライアント装置と通信する情報処理装置において、
ドライバのセットアップ先であるクライアント装置を判断する判断手段と、
前記クライアント装置に対するドライバのセットアップの指示、並びに、前記クライアント装置に対するドライバのセットアップが正常に完了したことを確認するテストプリントを前記クライアント装置に行わせる指示を、前記クライアント装置に送信する処理を制御する送信制御手段を有することを特徴とする情報処理装置。
【請求項３１】
クライアント装置と通信する情報処理装置における方法であって、
ドライバのセットアップ先であるクライアント装置を判断する判断工程と、
前記クライアント装置に対するドライバのセットアップの指示、並びに、前記クライアント装置に対するドライバのセットアップが正常に完了したことを確認するテストプリントを前記クライアント装置に行わせる指示を、前記クライアント装置に送信する処理を制御する送信制御工程を有することを特徴とする情報処理方法。
【請求項３２】
クライアント装置と通信する情報処理装置において実行される制御プログラムであって、
ドライバのセットアップ先であるクライアント装置を判断する判断工程と、
前記クライアント装置に対するドライバのセットアップの指示、並びに、前記クライアント装置に対するドライバのセットアップが正常に完了したことを確認するテストプリントを前記クライアント装置に行わせる指示を、前記クライアント装置に送信する処理を制御する送信制御工程を情報処理装置に実行させることを特徴とする制御プログラム。
【請求項３３】
クライアント装置とサーバ装置を含むネットワークシステムにおいて、
前記クライアント装置に接続された周辺装置のドライバのクライアント装置におけるセットアップ状況を管理する装置管理手段と、
前記セットアップ状況に基づいて、前記クライアント装置に対応するドライバ情報を複数のクライアント装置に送信する処理を制御する送信制御手段と、
前記サーバ装置からのセットアップ指示並びにドライバ情報を認識する認識手段と、
前記サーバ装置にドライバ情報を要求することなく、前記サーバ装置からの前記ドライバ情報を受信するのに応答して、前記周辺装置を制御するためのドライバ情報を前記複数のクライアント装置内にインストールするプログラム管理手段を有することを特徴とするネットワークシステム。
【請求項３４】
クライアント装置と通信する情報処理装置において、
ドライバのセットアップ先であるクライアント装置を判断する判断手段と、
前記クライアント装置に対するドライバのセットアップの指示、並びに、前記クライアント装置に対するドライバのセットアップが正常に完了したことを確認するテストプリントの指示を、前記クライアント装置に送信する処理を制御する送信制御手段と、
前記サーバ装置からのセットアップ指示、並びに、ドライバ情報、並びに前記テストプリントの指示を受信する受信手段と、
前記サーバ装置にドライバ情報を要求することなく、前記サーバ装置からの前記ドライバ情報を受信するのに応答して、前記周辺装置を制御するためのドライバ情報を前記クライアント装置内にインストールし、前記テストプリントの指示に基づいてテストプリントを指示する命令を発行するプログラム管理手段を有することを特徴とするネットワークシステム。
【手続補正２】
【補正対象書類名】明細書
【補正対象項目名】００１５
【補正方法】変更
【補正の内容】
【００１５】
本発明の実施形態として、クライアント装置と通信する情報処理方法おいて、クライアント装置に接続された周辺装置のドライバのクライアント装置におけるセットアップ状況を管理する装置管理工程と、前記セットアップ状況に基づいて、前記複数のクライアント装置に対応するドライバ情報をクライアント装置に送信する処理を制御する送信制御工程とを有することを特徴とする情報処理方法が開示される。
さらに、複数のクライアント装置と通信する情報処理装置における方法において、ドライバ情報をインストールすべき複数のクライアント装置を判断する判断工程と、前記クライアント装置に接続された周辺装置を制御するドライバ情報を、前記判断工程により判断された複数のクライアントに対して配信する処理を制御する送信制御工程とを有することを特徴とする情報処理方法が開示される。
さらに、周辺装置並びにサーバ装置と通信する情報処理装置における方法において、
前記サーバ装置からのセットアップ指示並びにドライバ情報を認識する認識工程と、
前記サーバ装置にセットアップ指示を要求することなく、前記セットアップ指示を認識するのに応答して、前記周辺装置を制御するためのドライバ情報を前記クライアント装置内にインストールするプログラム管理工程を有することを特徴とする情報処理方法が開示される。
さらに、サーバ装置並びに周辺装置と通信する情報処理装置装置における方法であって、
前記サーバ装置から前記周辺装置のドライバのセットアップ指示に基づいてドライバのセットアップを行うプログラム管理工程と、前記セットアップの終了に応答して、セットアップが正常に完了したことを確認するテストプリントを前記周辺装置に対して行わせる指示を生成させる工程を有することを特徴とする情報処理方法が開示される。
クライアント装置と通信する情報処理装置における方法であって、ドライバのセットアップ先であるクライアント装置を判断する判断工程と、前記クライアント装置に対するドライバのセットアップの指示、並びに、前記クライアント装置に対するドライバのセットアップが正常に完了したことを確認するテストプリントを前記クライアント装置に行わせる指示を、前記クライアント装置に送信する処理を制御する送信制御工程を有することを特徴とする情報処理方法が開示される。


【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】削除
【補正の内容】
【手続補正１７】
【補正対象書類名】明細書
【補正対象項目名】００３０
【補正方法】削除
【補正の内容】
【手続補正１８】
【補正対象書類名】明細書
【補正対象項目名】００３１
【補正方法】削除
【補正の内容】
【手続補正１９】
【補正対象書類名】明細書
【補正対象項目名】００３２
【補正方法】削除
【補正の内容】
【手続補正２０】
【補正対象書類名】明細書
【補正対象項目名】００３３
【補正方法】削除
【補正の内容】
【手続補正２１】
【補正対象書類名】明細書
【補正対象項目名】００３４
【補正方法】削除
【補正の内容】
【手続補正２２】
【補正対象書類名】明細書
【補正対象項目名】００３５
【補正方法】削除
【補正の内容】
【手続補正２３】
【補正対象書類名】明細書
【補正対象項目名】００３６
【補正方法】削除
【補正の内容】
【手続補正２４】
【補正対象書類名】明細書
【補正対象項目名】００３７
【補正方法】削除
【補正の内容】
【手続補正２５】
【補正対象書類名】明細書
【補正対象項目名】００３８
【補正方法】削除
【補正の内容】
【手続補正２６】
【補正対象書類名】明細書
【補正対象項目名】００３９
【補正方法】削除
【補正の内容】
【手続補正２７】
【補正対象書類名】明細書
【補正対象項目名】００４０
【補正方法】削除
【補正の内容】